(57)【要約】【課題】微小なマイクロ流体素子や高度に集積した流路を有するマイクロ流体素子であっても、流体に大きな温度変化を受けさせることが可能なマイクロ流体素子、流体処理デバイス、および流体処理方法を提供する。【解決手段】板状又はシート状の部材１の内部に毛細管状の流路２を有しており、流路２が、部材１の厚さ方向において互いに異なる位置に形成された、互いに連通する第一流路部３および第二流路部４を備えたマイクロ流体素子を用い、該マイクロ流体素子の厚さ方向の両端面（第一面８及び第二面９）の温度を互いに異なる温度に制御しつつ、流路２内で流体を移送させる。【選択図】　図２
2004130219.tif 000002
【特許請求の範囲】
【請求項１】
板状又はシート状の部材（１，２１，４１，６１，７１）の内部に毛細管状の流路（２，２２，３２，５２，７２）を有しており、前記流路が、前記部材の厚さ方向において互いに異なる位置に形成された、互いに連通する第一流路部（３，３３，５３，７３）および第二流路部（４，３４，５４，７４）を備えてなるマイクロ流体素子を用い、該マイクロ流体素子の厚さ方向の両端面（８，９）の温度を互いに異なる温度に制御しつつ、前記流路内で流体を移送させることを特徴とする流体の処理方法。
【請求項２】
前記マイクロ流体素子において、前記第一流路部（３，３３，５３，７３）および前記第二流路部（４，３４，５４，７４）が前記流路（２，２２，３２，５２，７２）に沿って交互に存在しており、該第一流路部の数と第二流路部の数がそれぞれ１５〜５０である請求項１記載の流体の処理方法。
【請求項３】
前記流体がポリメラーゼ連鎖反応用の反応溶液である請求項１または２のいずれか１項に記載の流体の処理方法。
【請求項４】
板状又はシート状の部材（１，２１，４１，６１，７１）の内部に毛細管状の流路（２，２２，３２，５２，７２）を有しており、前記流路が、前記部材の厚さ方向において互いに異なる位置に形成された、互いに連通する第一流路部（３，３３，５３，７３）および第二流路部（４，３４，５４，７４）を備えてなるマイクロ流体素子と、
該マイクロ流体素子の厚さ方向の両端面（８，９）の温度を互いに異なる温度に制御する温度制御機構を備えてなることを特徴とする流体処理デバイス。
【請求項５】
前記温度制御機構として、前記部材（１，２１，４１，６１，７１）の厚さ方向の一方の端面（８または９）に温度調節された固体を接触させる手段、および他方の端面（８または９）に温度調節された気体を接触させる手段を有する請求項４記載の流体処理デバイス。
【請求項６】
板状又はシート状の部材（１，２１，４１，６１，７１）の内部に毛細管状の流路（２，２２，３２，５２，７２）を有しており、該流路には、前記部材の厚さ方向において互いに異なる位置に形成された、互いに連通する第一流路部（３，３３，５３，７３）および第二流路部（４，３４，５４，７４）が、前記流路に沿って交互に存在しており、該第一流路部の数と第二流路部の数がそれぞれ１５〜５０であることを特徴とするマイクロ流体素子。
【請求項７】
前記部材（１，２１，４１，６１，７１）の厚さ方向における熱伝導係数が１０（Ｊｓ−１ｍ−１Ｋ−１）以下である請求項６記載のマイクロ流体素子。
【請求項８】
それぞれ厚さ方向の一方の端面に凹溝（３，４，３３，３４，５３，５４）が形成された第一の部材（１１と１２，１１と４２，１１と６２）と第二の部材（１３と１４，４３と１４，６３と１４）が、前記凹溝が形成された面が内側となるように対向配置されて一体化されている請求項６または７のいずれか１項に記載のマイクロ流体素子。
【請求項９】
前記第一の部材（１１と１２，１１と４２，１１と６２）と前記第二の部材（１３と１４，４３と１４，６３と１４）の間に、前記第一の部材の凹溝（３，３３，５３）と前記第二の部材の凹溝（４，３４，５４）とを連通させる貫通孔（２５，３５，３６，５５，５６）を有する第三の部材（２６，４６，６６ａと６６ｂと６６ｃ）が介在している請求項８記載のマイクロ流体素子。
【請求項１０】
ポリメラーゼ連鎖反応用に使用される請求項６〜９のいずれか１項に記載のマイクロ流体素子。
【発明の詳細な説明】
【０００１】
【発明の属する技術分野】
本発明は、マイクロ流体素子の内部に形成された毛細管状の流路内で流体を移送させることにより、該流体に温度履歴を受けさせることができるマイクロ流体素子、ならびにこれを用いた流体処理デバイスおよび流体処理方法に関する。
【０００２】
【従来の技術】
マイクロ流体素子は、マイクロ・フルイディック・デバイス、マイクロ・ファブリケイテッド・デバイス、ラブ・オン・チップ、又はマイクロ・トータル・アナリティカル・システム（μ−ＴＡＳ）とも呼ばれ、毛細管状の流路を有するとともに、該流路に流体を流入させて流出するまでの経路内で、流体を加熱又は冷却する機構、希釈又は濃縮する機構、化学反応させる機構、流動の流速や流動の分岐などの流動状態を制御する機構、混合、溶解、分離などを制御する機構、電気的、光学的な測定をする機構等が設けられたものが知られている。
【０００３】
このような機構を備えたマイクロ流体素子は、化学、生化学などの微小反応素子（マイクロ・リアクター）；集積型ＤＮＡ分析素子；微小電気泳動素子；微小クロマトグラフィー素子などの微小分析素子；質量スペクトルや液体クロマトグラフィーなどの分析試料調製用微小素子；抽出、膜分離、透析などの物理化学的処理素子；マイクロアレイ製造用スポッタなどとして使用できる。
【０００４】
【特許文献１】
特開２００２−０１８２７１号公報
【０００５】
マイクロ流体素子を使用して流体の温度を変化させる方法として、例えば上記特許文献１には、板状の部材の内部に、該部材の表面に平行な一面内で蛇行する形状の流路が形成されたマイクロ流体素子を用いるとともに、前記流路が存在する面内に温度が互いに異なる３つの領域を設け、前記流路に流される流体が、上記３つの領域を順次通過することによって、流体の温度が変化するように構成されたマイクロ流体素子が開示されている。
この方法は、流路内を移送される流体の温度を変化させるために、流路内の温度を経時的に変化させる方法と異なって、マイクロ流体素子自身の温度を各領域毎に設定された所定の温度に保持することにより、流路中を流れる流体に所望の温度変化を生じさせることができる方法である。この方法は、特に、流路を流れる流体の熱容量が、マイクロ流体素子の熱容量や加温用のヒートブロックの熱容量に比べて極めて小さいために、流体を急速に昇温させたり降温させることが可能であり、これによって処理を高速化できる点で好ましい。
【０００６】
【発明が解決しようとする課題】
しかしながら、上記の従来の方法では、該部材の表面に平行な面内において温度が互いに異なる領域を複数設ける構成が必要なので、マイクロ流体素子が微小である場合は温度差が大きい領域を設けることが困難であり、流路が立体的に集積化されている場合には、流路の各部分に所望の温度分布を設けることが困難であった。換言すれば、流路内を移送される流体に、一定の温度差の温度変化を生じさせることが要求される場合、マイクロ流体素子を微小化したり、同じ面積のマイクロ流体素子中に多数の流路を設けることには限界があった。
【０００７】
本発明は、このような事情に鑑みて、微小なマイクロ流体素子や高度に集積した流路を有するマイクロ流体素子であっても、流体に大きな温度変化を受けさせることが可能なマイクロ流体素子、流体処理デバイス、および流体処理方法を提供することを目的とする。
【０００８】
【課題を解決するための手段】
本発明者らは、上記課題を解決する方法について鋭意検討した結果、板状のマイクロ流体素子の表裏面を異なる温度に設定して厚さ方向に温度分布を持たせ、該マイクロ流体素子の内部の、表面近くに形成された流路部分と、裏面近くに形成された流路部分が直列に接続された流路に流体を流すことによって、上記課題を解決できることを見出し、本発明を完成するに至った。
【０００９】
即ち、本発明は、板状又はシート状の部材の内部に毛細管状の流路を有しており、前記流路が、前記部材の厚さ方向において互いに異なる位置に形成された、互いに連通する第一流路部および第二流路部を備えてなるマイクロ流体素子を用い、該マイクロ流体素子の厚さ方向の両端面の温度を互いに異なる温度に制御しつつ、前記流路内で流体を移送させることを特徴とする流体の処理方法を提供する。
本発明の流体の処理方法によれば、マイクロ流体素子の厚さ方向の両端面（表面および裏面ともいう）の温度を互いに異なる温度に制御することにより、マイクロ流体素子の厚さ方向において温度分布を形成することができる。そして、マイクロ流体素子の内部に形成された流路は、厚さ方向における位置が異なる第一流路部と第二流路部を有しているので、該流路内を移送される流体は、厚さ方向の異なる位置を経由することになり、それぞれの位置における温度分布に応じた温度変化を受ける。
したがって、微小なマイクロ流体素子であっても、また流路が立体的に集積化されていても、厚さ方向の両端面の温度差を大きくすることによって、温度差が大きい温度分布を容易に形成できるので、これにより流体に大きな温度変化を受けさせることが可能となる。
【００１０】
また本発明は、板状又はシート状の部材の内部に毛細管状の流路を有しており、前記流路が、前記部材の厚さ方向において互いに異なる位置に形成された、互いに連通する第一流路部および第二流路部を備えてなるマイクロ流体素子と、
該マイクロ流体素子の厚さ方向の両端面の温度を互いに異なる温度に制御する温度制御機構を備えてなることを特徴とする流体処理デバイスを提供する。
本発明の流体処理デバイスによれば、本発明の流体処理方法を用いて流体に大きな温度変化を受けさせることができ、マイクロ流体素子の微小化や流路の集積化を達成することができる。
【００１１】
また本発明は、板状又はシート状の部材の内部に毛細管状の流路を有しており、該流路には、前記部材の厚さ方向において互いに異なる位置に形成された、互いに連通する第一流路部および第二流路部が、前記流路に沿って交互に存在しており、該第一流路部の数と第二流路部の数がそれぞれ１５〜５０であるマイクロ流体素子を提供する。
本発明のマイクロ流体素子は、本発明の流体処理方法および流体処理デバイスを実現するのに好適に用いられ、微小なマイクロ流体素子や高度に集積した流路を有するマイクロ流体素子であっても、流体に大きな温度変化を受けさせることを可能とする。また、第一流路部および第二流路部がそれぞれ１５〜５０設けられているので、特に、このマイクロ流体素子を用いてポリメラーゼ連鎖反応（ＰＣＲ）を好適に行うことができる。
【００１２】
【発明の実施の形態】
本発明の流体の処理方法、流体処理デバイス、およびマイクロ流体素子は、化学や生化学の反応、溶解、析出、分離、蒸発などの物理化学的処理、温度による解離量の違いなどの測定や分析、などの流体処理を行うのに好適であり、特に、ポリメラーゼ連鎖反応（ＰＣＲ）を行うのに好適である。
ここで、ＰＣＲは、同じ構造のデオキシリボ核酸（ＤＮＡ、以下ＤＮＡという。）の数を増す反応であり、具体的には反応溶液（増幅すべき種ＤＮＡ、プライマーと称される増幅の起点を設定するためのＤＮＡ断片、ポリメラーゼ、および基質を含有する緩衝液溶液）を融解温度（８５〜９５℃）、結合温度（３５〜４５℃）、および伸張温度（６５〜８０℃）を順次経由させるサイクルを繰り返すことにより、ＤＮＡを増幅させる生化学反応である。
本発明の流体の処理方法において、前記マイクロ流体素子には、前記第一流路部および前記第二流路部が前記流路に沿って交互に存在しており、該第一流路部の数と第二流路部の数がそれぞれ１５〜５０であることが好ましい。
かかる構成とすれば、特にポリメラーゼ連鎖反応（ＰＣＲ）を行うのに好適である。
本発明の流体処理方法において、前記流体としてポリメラーゼ連鎖反応用の反応溶液を好ましく用いることができる。
【００１３】
本発明の流体処理デバイスにおいて、前記温度制御機構として、前記部材の厚さ方向の一方の端面に温度調節された固体を接触させる手段、および他方の端面に温度調節された気体を接触させる手段を有することが好ましい。
温度調節された固体を接触させる手段は装置構成が簡単であり、気体を接触させる手段は部材の内部を観察できるという利点を有する。また、高温側に用いる熱媒体を固体とし、低温側を気体とすることによって、低温側に於ける熱の除去が容易となる。
【００１４】
本発明のマイクロ流体素子において、前記部材の厚さ方向における熱伝導係数が１０（Ｊｓ−１ｍ−１Ｋ−１）以下であることが好ましい。
本発明において、部材の厚さ方向において熱伝導係数が一様でなくてもよく、第一面から第二面への全体としての熱伝導係数が上記範囲であればよい。上記熱伝導係数が１０（Ｊｓ−１ｍ−１Ｋ−１）を超えると、マイクロ流体素子の厚さ方向の両端面の温度差を大きくするのが困難となる。
【００１５】
本発明のマイクロ流体素子は、それぞれ厚さ方向の一方の端面に凹溝が形成された第一の部材と第二の部材が、前記凹溝が形成された面が内側となるように対向配置されて一体化されている構成とすることができる。
また、前記第一の部材と前記第二の部材の間に、前記第一の部材の凹溝と前記第二の部材の凹溝とを連通させる貫通孔を有する第三の部材が介在していてもよい。
このような積層構造を有するマイクロ流体素子は、製造が容易であるという利点を有する。
【００１６】
【実施例】
以下、図面を参照しながら本発明を詳しく説明する。
図１〜３は本発明のマイクロ流体素子の第一の実施例を示したもので、図１は平面図、図２は断面図、図３は分解斜視図である。
本実施例のマイクロ流体素子は、板状又はシート状の部材１の表面に、流入口６と流出口７が設けられるとともに、該部材１の内部に流入口６から流出口７に至る、毛細管状の流路２（以下、「毛細管状の流路」を、単に「流路」と称する）が形成されて概略構成されている。以下、マイクロ流体素子の部材の表面の横方向および縦方向をそれぞれＸ方向、Ｙ方向とし、厚さ方向をＺ方向とする。
流路２は、Ｚ方向における位置が異なる第一流路部３および第二流路部４を有しており、第一流路部３と第二流路部４は連通部５を介して交互に連続している。
【００１７】
部材１の形状は、板状又はシート状であるが、ここで言う板状とは、比較的剛直な物を言い、シート状とは柔軟な物を言う、シート状にはフィルム状、リボン状、ベルト状、薄片状などを含むものとする。但し、以下、本明細書に於いては、説明の簡略化のために、上述の「シート状」も含めて「板状」と称する。
ここでの板状とは、幅と長さに比して厚さが薄い形状を意味し、表面、すなわち厚さ方向の端面に細かい凹凸を有していてもよいし、表面が曲面であってもよく、曲げられた板状であってもよい。また、部材１は、少なくとも内部に流路２が設けられている部分が板状であればよく、板状以外の形状の部分を有していてもよい。しかしながら、部材１は、全体が板状であることが、製造が容易で好ましい。
【００１８】
部材１の厚さは任意であるが、１０μｍ〜１０ｍｍが好ましく、１００μｍ〜５ｍｍがさらに好ましく、３００μｍ〜３ｍｍが最も好ましい。厚さがこの範囲より薄いと、製造や取り扱いが困難となる上、第一流路部３と第二流路部４それぞれの内部における温度分布が大きくなってしまい、流路２内を移送される流体が受ける熱履歴が不安定になるので好ましくない。一方、部材１の厚さが上記の範囲を超えると、マイクロ流体素子が微小であることの特長が失われがちとなる。部材１の厚さは一定でなくて良いが、一定であることが温度制御を正確に行うためには好ましい。
【００１９】
第一流路部３および第二流路部４は、いずれもＸ方向に平行な帯状で、Ｙ方向における位置および幅はそれぞれ一定であり、Ｚ方向における位置および高さもそれぞれ一定である。
図２に示すように、部材１のＺ方向の両端面（表面および裏面ともいう）の一方を第一面８、他方を第二面９としたとき、第一流路部３は、第一面８と第二面９のうち、第一面８により近い位置に形成されており、第二流路部４は第二面９により近い位置に形成されている。また図２におけるＺ方向を上下方向とし第一面側を上側とすると、第一流路部３の下面と第二流路部４の上面とが同一面に存在している。また、上側から見て第一流路部３の端部と第二流路部４の端部とは重なり合っており、この重なった部分が連通部５となっている。これら第一流路部３および第二流路部４によって構成される流路２は、上側から見たときにＸ方向に沿う帯状であり、該流路２の両端部はそれぞれ流入口６および流出口７に連通している。
【００２０】
流路２は、第一流路部３と第二流路部４をそれぞれ１以上有する。第一流路部３と第二流路部４の数、長さ、順序は、マイクロ流体素子の用途目的によって設計できる。例えば、マイクロ流体素子がポリメラーゼ連鎖反応（ＰＣＲ）に使用されることを目的としたものである場合には、第一流路部３、第二流路部４がそれぞれ１５〜５０、交互に設けられていることが好ましい。ＰＣＲを行う場合、第一流路部３および第二流路部４の数が１５未満であるとＤＮＡの生成量が少なくなり、５０を超えると副反応の増加により純度が低下する。
勿論、流路２は、第一流路部３、第二流路部４以外の流路部分を有していてもよい。
複数の第一流路部３のＸ方向における長さや断面積、および複数の第二流路部４のＸ方向における長さや断面積は、それぞれ一定であってもよく、互いに異なっていてもよい。例えば、ＰＣＲにおける最初の融解工程と結合工程の時間が、２回目以降の融解工程および結合工程より長くなるように、最初の融解工程と結合工程にそれぞれ対応する第一流路部３および第二流路部４を、他の第一流路部３および第二流路部４より長くすることも好ましい。または、最初の融解工程と結合工程にそれぞれ対応する第一流路部３および第二流路部４の断面積を、他の第一流路部３および第二流路部４の断面積より大きくしてもよい。
しかし、一般的には、複数の第一流路部３のＸ方向における長さや断面積、および複数の第二流路部４のＸ方向における長さや断面積をそれぞれ均一とすると、流体に所定条件の温度変化を生じさせる工程を、繰り返し再現性良く行うことができるので好ましい。
【００２１】
第一流路部３の第一面８からの距離（「深さ」と称する場合もある）は特に限定されないが、０．５μｍ〜３００μｍが好ましく、１μｍ〜２００μｍがさらに好ましく３μｍ〜１００μｍが最も好ましい。第一流路部３の深さは、強度的に問題がない範囲で小さいことが、熱伝導が良好になって第一面８と第一流路部３との温度差が小さくなり、温度制御の精度が向上するため好ましい。但し、後述のように、第一面８と第一流路部３の間に介在する部材が金属のような熱良導体である場合には該距離の自由度は上記範囲より大きくなる。
一方、第一流路部３の第二面９からの距離は、大きいほど第一面８と第一流路部３との温度差が小さくなるので、温度制御の精度が向上するため好ましい。
ここで、第一の流路部３の第一面８からの距離とは、これらの間を隔てる距離を言い、本実施例のように第一の流路部３が第一面８に平行に形成されている場合には、第一の流路部３の上側の壁面と第一面８との距離を言うものとする。同様に、第一の流路部３の第二面９からの距離とは、第一の流路部３の下側の壁面と第二面９との距離を言う。
【００２２】
第一流路部３および第二流路部４の断面（本明細書において、流路の断面は横断面、即ち、流線に直角な方向の断面を言い、本実施例ではＸ方向に対して垂直な断面である）の形状は幅が広く高さが低い扁平な矩形に形成されているが、これに限らず適宜変更可能である。例えば、三角形、矩形、台形、五角形、六角形などの多角形；円；楕円；半円等であり得る。なおこれらの形状の内、多角形などの角のある形状は、角の丸まったものを含む。第一流路部３および第二流路部４の断面形状は、Ｙ方向における幅が広く、Ｚ方向における高さが低い形状であることが、流体の温度制御の精度を向上させるうえで好ましい。上記Ｙ方向における幅とＺ方向における高さの比、すなわち（幅／高さ）の値は１〜１００が好ましく、１〜３０が更に好ましく、１〜１０が最も好ましい。該比が上記の範囲未満では温度調節の精度に劣るものとなりがちであり、上記の範囲を超えると製造が困難となる。第一流路部３および第二流路部４の断面積も任意であるが、１μｍ２〜１０ｍｍ２　が好ましく、１００μｍ２〜１ｍｍ２が更に好ましい。該断面積が上記範囲より小であると液体の流通が困難となり、上記範囲より大であると、マイクロ流体素子としての特長が減じると共に、流体の温度を急速に変化させることができるという本発明の特長が減じる。
【００２３】
部材１の素材は、例えば、ガラス、水晶等の結晶、シリコンなどの半導体、セラミック、炭素、有機重合体（ポリジメチルシロキサンのように、無機元素を含有するものであってもよい。以下単に「重合体」と称する）、又はこれらの発泡体などであることが好ましい。
本発明において、部材１の第一面８および第二面９の一方から他方への熱伝導係数が１０（Ｊｓ−１ｍ−１Ｋ−１）以下であることが好ましく、１（Ｊｓ−１ｍ−１Ｋ−１）以下であることがより好ましい。この範囲を超えると、部材１の第一面８と第二面９との間の温度差を大きくすることが困難であるうえ、熱貫流量が大となるためエネルギー消費が大となって好ましくない。熱伝導係数の下限は自ずと限界は有ろうが、小さいことそれ自体による不都合はないため、下限を設けることを要しない。
部材１の厚さ方向において、熱伝導係数は一様でなくてもよい。したがって、部材１の全体を同じ素材で形成してもよく、異種の素材を組み合わせてもよい。
部材１の全体を同じ素材で形成する場合には、熱伝導係数が１０（Ｊｓ−１ｍ−１Ｋ−１）以下の素材が好ましく、１（Ｊｓ−１ｍ−１Ｋ−１）以下の素材がさらに好ましい。このような熱伝導係数が小さい素材としては、重合体が特に好ましい。また、発泡体とすれば、さらに熱伝導係数を大きく下げることが出来る。金属を使用すると熱伝導係数が高すぎる傾向がある。
【００２４】
なお、後述する第２ないし第４の実施例のように第一流路部１２，４２，６２を成す層と第二流路部１３，４３，６３を成す層の間に他の層２６，４６，６６ａ，６６ｂ，６６ｃ、が存在する場合には、部材１を複数種の素材を組み合わせて構成することができる。この場合、厚さ方向において第一流路部と第二流路部との間は熱伝導係数が低い素材で形成し、第一流路部の周辺および該第一流路部と第一面８との間、ならびに第二流路部の周辺および該第二流路部と第二面９との間は熱伝導係数が高い素材で形成して、第一面８から第二面９、または第二面９から第一面８への熱伝導係数が全体として１０（Ｊｓ−１ｍ−１Ｋ−１）以下となるように構成するのが好ましい。
ただし、本実施例では、第一流路部３と第二流路部４との間に介在層が無いので、部材１の全体を同じ素材で構成するか、熱伝導係数が類似している複数種の素材を組み合わせて部材１を構成することが好ましい。
【００２５】
本実施例のマイクロ流体素子は、流入口６および流出口７となる貫通孔が形成された第一層１１と、第一流路部３となる貫通孔が形成された第二層１２と、第二流路部４となる貫通孔が形成された第三層１３と、貫通孔を有しない第四層１４とがこの順に積層されて一体化された構成を有する。
このような積層構造を有するマイクロ流体素子は製造が容易であるという利点を有する。
本実施例における第一層１１と第二層１２とで、本発明の、厚さ方向の一方の端面に凹溝が形成された第一の部材が構成され、第三層１３と第四層１４とで、本発明の、厚さ方向の一方の端面に凹溝が形成された第二の部材が構成されている。
【００２６】
本実施例のマイクロ流体素子を製造する方法は特に限定されず、例えば、（ｉ）エネルギー線硬化性樹脂を一時的な支持体へ塗工し、（ｉｉ）該塗膜へ紫外線を照射して該塗膜を不完全硬化させて第一層１１となし、（ｉｉｉ）該半硬化した第一層１１の上に第二層１２となるエネルギー線硬化性樹脂を塗工し、（ｉｖ）該第二層１２塗膜へ紫外線をパターン露光して露光部を不完全硬化させ、（ｖ）非露光部の未硬化樹脂を洗浄除去することによって第二層１２に所定パターンの貫通孔を形成して、第一層１１と第二層１２の積層体の表面に第二層１２の貫通孔からなる凹溝（第一流路部３）を有する第一部材と成し、（ｖｉ）これと同様の操作によって、第三層１３と第四層１４の積層体から成る第二の部材を形成し、（ｖｉｉ）これらを凹溝を内側にして積層した状態で紫外線を照射して、不完全硬化塗膜を硬化させると共に各層を互いに接着し、（ｖｉｉｉ）一時的な支持体を剥離する手法を用いることができる。
その他の方法として、例えば、前記第一の部材と第二の部材をそれぞれ射出成型法、フォトリソグラフィー、溶融レプリカ法などで成形してそれを貼り合わせても良いし、光硬化性樹脂を用いたマイクロ光造形法で一挙に成形してよい。
【００２７】
図４〜６は本発明のマイクロ流体素子の第二の実施例を示したもので、図４は平面図、図５は断面図、図６は分解斜視図である。これらの図において図１〜３と同じ構成要素には同一の符号を付して説明を省略する。
本実施例が前記第一の実施例と大きく異なる点は、第一流路部３と第二流路部４とが、Ｚ方向に延びる連絡流路２５を介して連通されている点である。
すなわち、本実施例における部材２１が前記部材１と異なる点は、前記第一の実施例における第二層１２と第三層１３との間に、連絡通路２５となる四角穴状の貫通孔が形成された介在層２６が積層一体化されている点である。この部材２１を上側から見たときに、１つの第一流路部３の流出口側の端部が、前記四角穴状の貫通孔および第二流路部４の流入口側の端部と重なっており、この重なった部分がＺ方向に延びる連絡流路２５を形成している。これら第一流路部３、連絡流路２５および第二流路部４によって構成される流路２２は、上側から見たときにＸ方向に沿う帯状であり、該流路２２の両端部はそれぞれ流入口６および流出口７に連通している。
【００２８】
なお、本実施例における第一層１１と第二層１２とで、本発明の、厚さ方向の一方の端面に凹溝（第一流路部３）が形成された第一の部材が構成され、第三層１３と第四層１４とで、本発明の、厚さ方向の一方の端面に凹溝（第二流路部４）が形成された第二の部材が構成され、介在層２６で本発明の貫通孔（連絡流路２５）を有する第三の部材が構成されている。
【００２９】
本実施例のマイクロ流体素子を製造する方法は特に限定されないが、例えば、（ｉ）エネルギー線硬化性樹脂を一時的な支持体へ塗工し、（ｉｉ）該塗膜へ紫外線をパターン露光して照射部を不完全硬化させ、（ｉｉｉ）非照射部の未硬化樹脂を洗浄除去することによって所定パターンの貫通孔を形成し、（ｉｖ）これを他の層へ積層した状態で紫外線を再照射して、不完全硬化塗膜を硬化させると共に他の層と接着し、（ｖ）一時的な支持体を剥離する手法を用いることができる。また該（ｉ）から（ｖ）までの一連の操作を繰り返せば、複数の層が積層された構造のマイクロ流体素子を容易に好適に製造することができる。例えば、本実施例の場青には、第一層１１、第二層１２、介在層２６、第三層１３、第四層１４の順で積層して製造することができる。又、この製造方法によって、本発明の第三及び第四の実施例で述べるマイクロ流体素子も製造することができる。
【００３０】
図７および８は本発明のマイクロ流体素子の第三の実施例を示したもので、図７は断面図、図８は分解斜視図である。これらの図において図１〜３と同じ構成要素には同一の符号を付して説明を省略する。
本実施例が前記第一の実施例と大きく異なる点は、第二流路部３４の流入側の端部が、Ｘ方向に延びる連絡流路３５を介して第一の流路部３３と連通されており、第二流路部３４の流出側の端部が、Ｚ方向に延びる連絡流路３６を介して第一の流路部３３と連通されている点である。
すなわち、本実施例における部材４１は、流入口６および流出口７となる貫通孔が形成された第一層１１と、第一流路部３３となる帯状の貫通孔が形成された第二層４２と、連絡流路３５となる帯状の貫通孔および連絡流路３６となる四角穴状の貫通孔が形成された介在層４６と、第二流路部３４となる帯状の貫通孔が形成された第三層４３と、貫通孔を有しない第四層１４とがこの順に積層されて一体化された構成を有する。
【００３１】
この部材４１を上側から見たときに、第一流路部３３の流出口側の端部が、連絡流路３５の流入口側の端部と重なっており、連絡流路３５の流出口側の端部が、第二流路部３４の流入口側の端部と重なっている。また第二流路部３４の流出口側の端部が連絡流路３６となる四角穴状の貫通孔、および第一流路部３３の流入口側の端部と重なっている。これら第一流路部３３、連絡流路３５、第二流路部３４および連絡流路３６によって構成される流路３２は、上側から見たときにＸ方向に沿う帯状であり、該流路３２の両端部はそれぞれ流入口６および流出口７に連通している。
【００３２】
なお、本実施例における第一層１１と第二層４２とで、本発明の、厚さ方向の一方の端面に凹溝（第一流路部３３）が形成された第一の部材が構成され、第三層４３と第四層１４とで、本発明の、厚さ方向の一方の端面に凹溝（第二流路部３４）が形成された第二の部材が構成され、介在層４６で本発明の貫通孔（連絡流路３５，３６）を有する第三の部材が構成されている。
【００３３】
図９および１０は本発明のマイクロ流体素子の第四の実施例を示したもので、図９は断面図、図１０は分解斜視図である。これらの図において図１〜３と同じ構成要素には同一の符号を付して説明を省略する。
本実施例が前記第一の実施例と大きく異なる点は、第二流路部５４の流入口側の端部が、Ｚ方向に延びる連絡流路５５ａ、Ｘ方向に延びる連絡流路５５ｂ、およびＺ方向に延びる連絡流路５５ｃからなるクランク状の連絡流路５５を介して第一の流路部５３の流出口側の端部と連通されており、第二流路部３４の流出口側の端部が、Ｚ方向に延びる連絡流路５６を介して第一の流路部５３流入口側の端部と連通されている点である。連絡流路５６は、それぞれＺ方向に延びる連絡流路５６ａ，５６ｂ，５６ｃが接続されて構成されている。
【００３４】
すなわち、本実施例における部材６１は、流入口６および流出口７となる貫通孔が形成された第一層１１と、第一流路部５３となる帯状の貫通孔が形成された第二層６２と、連絡流路５５ａとなる四角穴状の貫通孔および連絡流路５６ａとなる四角穴状の貫通孔が形成された第一介在層６６ａと、連絡流路５５ｂとなる帯状の貫通孔および連絡流路５６ｂとなる四角穴状の貫通孔が形成された第二介在層６６ｂと、連絡流路５５ｃとなる四角穴状の貫通孔および連絡流路５６ｃとなる四角穴状の貫通孔が形成された第三介在層６６ｃと、第二流路部５４となる帯状の貫通孔が形成された第三層６３と、貫通孔を有しない第四層１４とがこの順に積層されて一体化された構成を有する。
【００３５】
この部材６１を上側から見たときに、第一流路部５３の流出口側の端部と、第一介在層６６ａの四角穴状の連絡流路５５ａと、第二介在層６６ｂの連絡流路５５ｂの流入口側の端部とが重なっており、該連絡流路５５ｂの流出口側の端部と、第三介在層６６ｃの四角穴状の連絡流路５５ｃと、第二流路部５４の流入口側の端部とが重なっている。また第二流路部５４の流出口側の端部と、第三介在層６６ｃの四角穴状の連絡流路５６ｃと、第二介在層６６ｂの四角穴状の連絡流路５６ｂと、第一介在層６６ａの四角穴状の連絡流路５６ａと、第一流路部５３の流入口側の端部とが重なっている。これら第一流路部５３、連絡流路５５ａ，５５ｂ，５５ｃ、第二流路部５４、および連絡流路５６ａ，５６ｂ，５６ｃによって構成される流路５２は、上側から見たときにＸ方向に沿う帯状であり、該流路５２の両端部はそれぞれ流入口６および流出口７に連通している。
【００３６】
なお、本実施例における第一層１１と第二層６２とで、本発明の、厚さ方向の一方の端面に凹溝（第一流路部５３）が形成された第一の部材が構成され、第三層６３と第四層１４とで、本発明の、厚さ方向の一方の端面に凹溝（第二流路部５４）が形成された第二の部材が構成され、第一ないし第三介在層６６ａ，６６ｂ，６６ｃで、本発明の、貫通孔（連絡流路５５，５６）を有する第三の部材が構成されている。
【００３７】
図１１は本発明のマイクロ流体素子の第五の実施例を示した断面図である。
本実施例が前記第一の実施例と大きく異なる点は、Ｘ方向に延びる流路７２の第一面８からの距離（深さ）が、流入口６側から流出口７側に向かう方向において漸次増加しており、該流路７２が第一面８に対して傾斜している点である。
本実施例では、斜めの流路７２のうち、第一面８に近い部分が第一流路部７３であり、第二面９に近い部分が第二流路部７４であり、これらの中間が連絡流路７５となっている。これらの境目は明確ではない。図中符号７１は部材を示す。
なお、流路７２が深さ方向に傾斜する代わりに多数の段から成る階段状であっても良い。
本実施例で述べたマイクロ流体素子は、例えば、光硬化性樹脂を用いたマイクロ光造形法で製造することができる。
【００３８】
上記の第一ないし第四の実施例では、第一流路部、第二流路部、および連絡流路がＸ−Ｙ平面に平行に設けられているので、精度良く温度調節を行ううえで好ましく、製造も容易であるが、１つの流路内にＺ方向の位置が異なる部分が複数存在していればよく、上記第五の実施例のように、第一流路部７３、第二流路部７４連絡流路７５の少なくとも１つが、Ｘ−Ｙ平面に対して斜めになっていてもよい。
【００３９】
これらの各実施例のうち、上記の第一の実施例では、第一流路部３と第二流路部４とが連絡流路を介さずに連通されているので、流体の温度を、第一流路部３の温度から第二流路部４の温度へ、比較的短時間で移行させることができる。一方、第二ないし第五の実施例のように、第一流路部と第二流路部との間に連絡流路が設けられている場合には、該連絡流路内は、第一流路部および第二流路部のいずれとも異なる温度分布を有するので、流体は連絡流路内を移送する際に、該連絡流路内の温度分布に応じた温度変化を受ける。例えば第三および第四の実施例のように、Ｚ方向に延びる連絡流路を設けると、流体の温度は、第一流路部の温度から第二流路部の温度へ、比較的短時間で移行するが、Ｘ方向に延びる連絡流路では、流体は第一流路部と第二流路部の中間の一定温度に一定時間保持されるので、流体に３段階の温度履歴を与えることができる。このとき、Ｘ方向に伸びる連絡流路の第一面からの距離と第二面からの距離の比を調節することにより、該連絡流路における温度を調節することが出来る。また第五の実施例のように、連絡流路がＸ−Ｙ平面に対して斜めに形成すると、流体を徐々に昇温又は降温させることができる。
連絡流路の形状、長さ、断面積は、これらを調節することによって、連絡流路内における昇温速度や降温速度、温度、及び該温度における滞留時間を調節できる。
【００４０】
なお、上記各実施例のマイクロ流体素子において、流入口６と流出口７には、配管接続のためのフィッティングが固定されていてもよいし、配管が接続固定されていてもよい。流入口６及び／又は流出口７が部材外に開口又は連絡している場合には、その位置は任意であり、上記各実施例のように第一面８に形成してもよく、第二面９または部材の側面に形成することもできる。ただし、流入口６および流出口７が、第一面８及び／又は第二面９の温度を制御するための機構で閉塞されないように構成することが好ましい。また、流入口６及び／又は流出口７が第一面８に開口しておらず、部材内部に形成された他の機能部分、例えば貯液槽、ポンプ機構、バルブ機構、膜分離機構などに連通するように開口していてもよい。
【００４１】
上記各実施例のマイクロ流体素子において、部材の内部で流路が分岐していて、流入口６および流出口７がそれぞれ複数であってもよい。流入口６の数と流出口７の数が異なっていてもよい。
また、部材は、それぞれ独立した複数の流路を有していてもよい。独立した複数の流路は、構造が同一でもよく異なっていてもよい。例えば、ＰＣＲ用に使用されるマイクロ流体素子の場合、１つの部材内に３〜１００本の同一構造の流路を互いに平行に設けることが好ましい。該同一構造の複数の流路は、Ｚ方向における位置が互いに同一であることが好ましい。
また、上側から見た流路の形状も、直線状に限らず、マイクロ流体素子の用途、目的に応じて任意の形状とすることができる。
【００４２】
次に本発明の流体処理デバイスの実施例について説明する。ここでは、ポリメラーゼ連鎖反応（ＰＣＲ）を行うのに好適な流体処理デバイスを例に挙げて説明する。
本実施例の流体処理デバイスは、図９に示す第四の実施例のように、Ｘ方向に延びる連絡流路５５ｂを有するマイクロ流体素子を好適に用いてなり、該マイクロ流体素子に、第一面８および第二面９の温度を互いに異なる温度に制御する温度制御機構が設けられている。本実施例で用いられるマイクロ流体素子はＰＣＲに用いられるので、１つの流路５２において、第一流路部５３と第二流路部５４とが連絡流路５５、５６を介して交互にそれぞれ１５〜５０個存在していることが好ましい。また、このような流路５２が３〜１００本、Ｙ方向に間隔をおいて互いに平行に形成されていることがより好ましい。
【００４３】
温度制御機構は、第一面８と第二面９に、それぞれ異なる温度のヒートブロックを接触させる機構であってもよく、ヒートブロックを、液体被膜を介して接触させると温度ムラが減少されるので好ましい。また温度調節された液体や気体（熱風や冷風）を第一面８および第二面９に接触させる機構であってもよく、赤外線加熱を行う機構であってもよい。または、これらの機構を組み合わせてもよい。特に気体を接触させる機構は、マイクロ流体素子の部材６１が透明であれば内部を観察できるという利点を有する。
特に、第一面８および第二面９のうち、高温側となる面に固体状のヒートブロックを接触させ、低温側を気流と接触させる機構は、装置が単純であるうえ、部材６１が透明であれば、低温側から内部を観察でき、さらに、低温側の熱の除去（放散）が容易であるのでより好ましい。低温側に放熱フィンを接触させ、該放熱フィンを気流冷却することも好ましい。
【００４４】
本実施例の流体処理デバイスを用いて本実施例の流体処理方法を実施するには、まず第一面８と第二面９を所定の温度に制御する。本実施例では、ポリメラーゼ連鎖反応（ＰＣＲ）を好適に行うために、第一流路部５３内の流体の温度（以下「第一流路部内の流体の温度」を「第一流路部の温度」と称する。第二流路部および連絡流路についても同様である。）を、ＰＣＲにおける結合温度である３５〜４５℃の範囲内に設定するのが好ましい。また、Ｘ方向に延びる連絡流路５５ｂの温度を、伸長温度である６５〜８０℃の範囲内に設定し、第二流路部５４の温度を融解温度である８５〜９５℃となるように設定することが好ましい。
【００４５】
流路５２が形成されている部材６１が、単一の素材で形成されている場合や、ほぼ同じ熱伝導係数を有する複数の素材で形成されている場合には、部材６１の第一面８から第二面９に至る深さ方向（Ｚ方向）の温度分布は、ほぼ、第一面８の温度と第二面９の温度を結ぶ直線状となる。従って、第一流路部５３及び第二流路部５４を流れる流体の温度を所望の温度に調節するには、上記各流路部の深さを考慮して、第一面８と第二面９の温度を制御すればよい。一方、連絡流路５５ｂを流れる流体の温度を所望の温度に調節するには、第一面８と第二面９の温度を考慮して、連絡流路５５ｂの第一面からの距離と第二面からの距離の比を設定すればよい。該距離の比を設定するには、第一介在層６６ａと第三介在層６６ｃの厚みを調節すればよい。
一方、部材６１が熱伝導係数の異なる複数の素材の複合体として形成されている場合には、各部分の熱抵抗から、化学工学的に周知の方法によって部材６１の第一面８から第二面９に至る深さ方向（Ｚ方向）の温度分布を算出することができる。
【００４６】
そして、マイクロ流体素子の第一面８を低温側とし、第二面９を高温側として所定の温度に制御された状態で、流入口６から流体を供給すると、該流体は、第一流路部５３、連絡流路５５、第二流路部５４、および連絡流路５６を順に通って流路５２内を移送される間に、各部位の温度分布に応じた温度変化を生じる。
本実施例ではＰＣＲを行うので、マイクロ流体素子に流す流体として、公知のポリメラーゼ連鎖反応用反応溶液、即ち、例えば種ＤＮＡ、３’側プライマー、５’側プライマー、ポリメラーゼ、及び基質として４種類のヌクレオチドモノマーの混合溶液を好適に使用することができる。
また、本実施例において、流体は、流路５２を移送される間に、第一流路部５３に於ける結合温度帯を通過した後、連絡流路５５における伸長温度帯、第二流路部５４における融解温度帯を順に通過して再び結合温度帯へ戻るという一連の温度履歴を１サイクルとして、第一流路部５３および第二流路部５４の数に応じて、１５〜５０サイクルの温度履歴を受ける。
【００４７】
本実施例の流体処理方法は、マイクロ流体素子を用いる方法であり、マイクロ流体素子の流路壁を構成する部材６１の熱容量に比べて、流路に流す流体の熱容量が小さくなるように構成できるため、これにより流体を高速で昇温させたり降温させたりすることが可能である。また、流路径を微小にできるため、流路内は拡散支配となって、流路壁に温度分布があっても流路断面内における流体の温度分布を小さくすることが可能である。そのため、流路を流れる流体の温度は、通常、流路を囲む流路壁の平均温度となる。しかしながら、流速が大きい場合や、発熱反応、吸熱反応などの場合には、流体の温度は流路壁の平均温度からずれる場合もある。このような場合には、第一面８及び第二面９の温度を補正すればよい。
【００４８】
なお、本実施例ではＰＣＲを行うのに好適な例について説明したが、これに限らず、本発明に係るマイクロ流体素子を用いて各種の反応、分析、その他の処理を行うことができる。
また、第一面８と第二面９の温度は上記実施例の範囲に限らず、互いに異なる温度であれば任意であり、室温以上であっても室温以下でってあってもよい。第一面８や第二面９の温度はそれぞれ、経時的に一定であってもよく、経時的に変化してもよい。特に温度を経時的に一定とする方が、操作が簡単であるので好ましい。
また、第一面８および第二面９の面内において、温度が均一であってもよく、該面内に温度が異なる複数の領域を設けてもよい。また、第一面８および第二面９の各面全体を温度調節する必要はなく、例えば流入口６や流出口７付近など、温度調節しない部分があっても良い。
【００４９】
以下、具体例を示して、さらに詳しく説明する。
［実施例１］
図９に示すように、第一流路部５３と第二流路部５４が、第二流路部５４の流入口側ではクランク状の連絡流路５５を介して、また第二流路部５４の流出口側ではＺ方向に延びる連絡流路５６を介してそれぞれ連通された構成を有するマイクロ流体素子を製造した。
すなわち、まず、シート状の一時的な支持体（厚さ３０μｍのポリプロピレン製シート、以下同様）上に、紫外線硬化型樹脂を塗布し、紫外線を照射して流動性が喪失された程度に不完全硬化（以下、半硬化という）させて、第四層１４となる塗膜を形成した。
【００５０】
これとは別に、シート状の一時的な支持体上に、紫外線硬化型樹脂を塗布して第三層６３となる塗膜を形成し、この塗膜に対して、第二流路部５４となる領域に対応する遮光部を有するマスクを介して紫外線を照射し、半硬化させた。この後、未硬化の部分、すなわち第二流路部５４となる部分の樹脂を溶剤を用いて洗浄除去することによって、該塗膜に第二流路部５４となる貫通孔を形成した。このようにして第二流路部５４が形成された半硬化状態の塗膜を、前記、第四層１４となる半硬化状態の塗膜上に積層した。そして一時的な支持体を介して紫外線を照射し、これらの塗膜を硬化させることによって両者を接着一体化した後、第三層６３上の一時的な支持体を剥離除去した。
【００５１】
次いで、別の一時的な支持体上に、紫外線硬化型樹脂を塗布して第三介在層６６ｃとなる塗膜を形成し、この塗膜に対して、連絡流路５５ｃ、５６ｃとなる領域に対応する遮光部を有するマスクを介して紫外線を照射し、半硬化させた。この後、未硬化の部分、すなわち連絡流路５５ｃ、５６ｃとなる部分の樹脂を溶剤を用いて洗浄除去することによって、該塗膜に連絡流路５５ｃ、５６ｃとなる四角穴状の貫通孔を形成した。このようにして連絡流路５５ｃ、５６ｃが形成された半硬化状態の塗膜を、上記で硬化された第三層６３上に積層した。そして一時的な支持体を介して紫外線を照射し、半硬化状態の塗膜を完全に硬化させることによって接着一体化した後、第三介在層６６ｃ上の一時的な支持体を剥離除去した。
【００５２】
次いで、別の一時的な支持体上に、紫外線硬化型樹脂を塗布して第二介在層６６ｂとなる塗膜を形成し、この塗膜に対して、連絡流路５５ｂ、５６ｂとなる領域に対応する遮光部を有するマスクを介して紫外線を照射し、半硬化させた。この後、未硬化の部分、すなわち連絡流路５５ｂ、５６ｂとなる部分の樹脂を溶剤を用いて洗浄除去することによって、該塗膜に連絡流路５５ｂとなる帯状の貫通孔、および連絡流路５６ｂとなる四角穴状の貫通孔を形成した。このようにして連絡流路５５ｂ、５６ｂが形成された半硬化状態の塗膜を、上記で硬化された第三介在層６６ｃ上に積層した。そして一時的な支持体を介して紫外線を照射し、半硬化状態の塗膜を完全に硬化させることによって接着一体化した後、第二介在層６６ｂ上の一時的な支持体を剥離除去した。
【００５３】
次いで、別の一時的な支持体上に、同様の手順で、連絡流路５５ａおよび連絡流路５６ａとなる四角穴状の貫通孔を有する、第一介在層６６ａとなる半硬化状態の塗膜を形成した。そして、この半硬化状態の塗膜を、上記で形成された第二介在層６６ｂ上に積層し、紫外線を照射して接着一体化した後、第一介在層６６ａ上の一時的な支持体を剥離除去した。
【００５４】
次いで、別の一時的な支持体上に、同様の手順で、第一流路部５３となる貫通孔を有する、第二層６２となる半硬化状態の塗膜を形成した。そして、この半硬化状態の塗膜を、上記で形成された第一介在層６６ａ上に積層し、紫外線を照射して接着一体化した後、第二層６２上の一時的な支持体を剥離除去した。
【００５５】
次いで、別の一時的な支持体上に、同様の手順で、流入口６および流出口７となる円形の貫通孔を有する、第一層１１となる半硬化状態の塗膜を形成した。そして、この半硬化状態の塗膜を、上記で形成された第二層６２上に積層し、紫外線を照射して接着一体化した後、第一層１１上の一時的な支持体を剥離除去するとともに、前記第四層１４上の一時的な支持体も剥離除去した。
さらに、流入口６及び流出口７にルアーフィッティング（図示せず）を接着し、ワンタッチで配管と接続できるようにして、マイクロ流体素子を得た。
【００５６】
本例において、マイクロ流体素子の部材６１を構成している各層の大きさは、それぞれ長さ７５ｍｍ×幅２５ｍｍである。
第一面８を成す第一層１１は、厚さ０．１ｍｍであり、流入口部６及び流出口部７は、Ｘ方向の両端部からそれぞれ４ｍｍ入ったＹ方向の中央に形成されており、それぞれ直径１ｍｍの円形となっている。
第二層６２は厚さ０．１ｍｍであり、上記流入部６となる貫通孔の、部材６１の側面側の先端を端とし、長さ１．２ｍｍ、幅０．３ｍｍの、第一流路部５３となる帯状の貫通孔が、１．８ｍｍの間隔をあけて２３個一列に並んで形成されている。
【００５７】
第一介在層６６ａは厚さ０．２ｍｍであり、各第一流路部５３の両端部とそれぞれ重なる位置に、連絡流路５５ａ、５６ａとなる、長さ０．２ｍｍ、幅０．３ｍｍの四角穴状の貫通孔が合計４４個、一列に並んで形成されている。ただし、流入口６に連通している第一流路部５３の流入口側の端部、および流出口７に連通している第一流路部５３の流出口側の端部には、連絡流路５５ａ、５６ａは設けられていない。
【００５８】
第二介在層６６ｂは厚さ０．１ｍｍであり、長さ１．２ｍｍ、幅０．３ｍｍの、連絡流路５５ｂとなる帯状の貫通孔が、その流入口側の端部が前記第一介在層６６ａの連絡流路５５ａと重なり合うように、２２個、一列に並んで形成されている。また、連絡流路５６ｂとなる長さ０．２ｍｍ、幅０．３ｍｍの四角穴状の貫通孔が、前記第一介在層６６ａの連絡流路５６ａと重なり合うように、２２個、一列に並んで形成されている。
【００５９】
第三介在層６６ｃは厚さ０．２ｍｍであり、前記第二介在層６６ｂの帯状の連絡流路５５ｂの流出口側の端部、および四角穴状の連絡流路５６ｂとそれぞれ重なり合うように、連絡流路５５ａ、５６ａとなる、長さ０．２ｍｍ、幅０．３ｍｍの四角穴状の貫通孔が合計４４個、一列に並んで形成されている。
第三層６３は厚さ０．１ｍｍであり、長さ１．２ｍｍ、幅０．３ｍｍの、第二流路部５４となる帯状の貫通孔が、その両端部が前記第三介在層６６ａの連絡流路５５ｃおよび５６ｃとそれぞれ重なり合うように、２２個一列に並んで形成されている。
第四層１４は厚さ０．１ｍｍであり、貫通孔は形成されていない。
【００６０】
［使用試験］
〔ＰＣＲ用反応溶液の調製〕
鋳型プラスミドＤＮＡ：４．０μｌ、ポリメラーゼ［宝酒造株式会社製「ＴａＫａＲａ　Ｅｘ　Ｔａｑ　ＴＭ」］：２．０μｌ、緩衝液［宝酒造株式会社製「１０Ｘ　ＥｘＴａｑ　ＴＭ　Ｂｕｆｆｅｒ」］：８．０μｌ、基質　［宝酒造株式会社製「ｄＮＴＰ　Ｍｉｘｔｕｒｅ　（２．５ｍＭ　ｅａｃｈ）」］：６．４μｌ、プライマー［宝酒造株式会社製「Ｆｌｕｏｒｅｓｃｅｉｎ−Ｌａｂｅｌｅｄ　Ｐｒｉｍｅｒ　Ｍ４　（１ｐｍｏｌ／μｌ）」］：２０μｌ、プライマー［宝酒造株式会社製「Ｆｌｕｏｒｅｓｃｅｉｎ−Ｌａｂｅｌｅｄ　Ｐｒｉｍｅｒ　ＲＶ−Ｍ　（１ｐｍｏｌ／μｌ）」］：２０μｌ、及び滅菌蒸留水：１９．６μｌを混合して、反応溶液を調製した。
【００６１】
〔ＰＣＲ試験１〕
上記実施例１で製造したマイクロ流体素子の第一面８及び第二面９に、それぞれ３０℃、９８℃に温度調節したアルミニウム製ヒートブロックを、ミネラルオイル（和光純薬工業製）１滴を介して接触させた。流入口６にＰＣＲ反応溶液１０ｍｍ３を注入し、その上に上記ミネラルオイル５ｍｍ３を注入した後、ルアーフィッティングに塩化ビニル製チューブを接続して、マイクロシリンジポンプから上記ミネラルオイルを滞留時間１０分となる流速で４０分間流した。流出口７から流出した反応溶液を採取し、電気泳動分析にかけたところ、ＤＮＡが増幅されていることが確認された。
【００６２】
〔ＰＣＲ試験２〕
前記ＰＣＲ試験１において、マイクロ流体素子の第一面８に３０℃のヒートブロックを接触させる代わりに、２５℃の室温の空気をファンを用いて当てたこと以外はＰＣＲ試験１と同様の試験を行った。
結果は，ＰＣＲ試験１と同様であった。
【００６３】
【発明の効果】
本発明によれば、微小なマイクロ流体素子や流路を高度に集積化したマイクロ流体素子においても、該マイクロ流体素子中の毛細管状の流路を流れる流体に速やかに大きな温度差のある温度変化を容易に受けさせることができる。
【図面の簡単な説明】
【図１】本発明のマイクロ流体素子の第一の実施例を模式的に示した平面図である。
【図２】本発明のマイクロ流体素子の第一の実施例を模式的に示した断面図である。
【図３】本発明のマイクロ流体素子の第一の実施例を模式的に示した分解斜視図である。
【図４】本発明のマイクロ流体素子の第二の実施例を模式的に示した平面図である。
【図５】本発明のマイクロ流体素子の第二の実施例を模式的に示した断面図である。
【図６】本発明のマイクロ流体素子の第二の実施例を模式的に示した分解斜視図である。
【図７】本発明のマイクロ流体素子の第三の実施例を模式的に示した断面図である。
【図８】本発明のマイクロ流体素子の第三の実施例を模式的に示した分解斜視図である。
【図９】本発明のマイクロ流体素子の第四の実施例を模式的に示した断面図である。
【図１０】本発明のマイクロ流体素子の第四の実施例を模式的に示した分解斜視図である。
【図１１】本発明のマイクロ流体素子の第五の実施例を模式的に示した断面図である。
【符号の説明】
１，２１，４１，６１，７１…部材、
２，２２，３２，５２，７２…流路、
３，３３，５３、７３…第一流路部、
４，３４，５４，７４…第二流路部、
５…連通部、６…流入口、７…流出口、８…第一面、９…第二面、
２５，３５，３６，５５，５５ａ，５５ｂ，５５ｃ，５６，５６ａ，５６ｂ，５６ｃ，７５…連絡流路。
【図１】
2004130219.tif 000003
【図２】
2004130219.tif 000004
【図３】
2004130219.tif 000005
【図４】
2004130219.tif 000006
【図５】
2004130219.tif 000007
【図６】
2004130219.tif 000008
【図７】
2004130219.tif 000009
【図８】
2004130219.tif 000010
【図９】
2004130219.tif 000011
【図１０】
2004130219.tif 000012
【図１１】
2004130219.tif 000013